(57)【要約】  【課題】  従来のような幅木取付板を用いることなく、床ベースを利用することで幅木を壁パネルに対し固定することができて幅木の固定作業の迅速簡略化、低コスト化を図れる幅木固定装置を提供する。  【解決手段】  幅木７の上端縁に下向き係止片７ｂを設け、この下向き係止片７ｂを壁パネル４の一側面下部とこの一側面下部に隣接する床ベース２のフランジ１２（又は１３）との間の隙間に圧入固定する。【選択図】      図１
2005264492.tif 000002
【特許請求の範囲】
【請求項１】
ウェブと、このウェブの内外側端からそれぞれ立ち上げたフランジとを有する断面溝形状の床ベースが床面上に固定されており、前記床ベースの溝内に壁パネルの最下端部が嵌め込まれ、前記壁パネルの少なくとも一側面下部と床面とが交わる入隅に金属製の幅木が配置されている幅木固定装置において、前記幅木の上端縁に下向き係止片を設け、この下向き係止片を前記壁パネルの一側面下部とこの一側面下部に隣接する前記フランジとの間の隙間に圧入固定していることを特徴とする、幅木固定装置。
【発明の詳細な説明】
【技術分野】
【０００１】
本発明は、冷凍冷蔵倉庫等において壁パネルの最下部の床面に接する所に金属製の幅木を張る幅木固定装置に関する。
【背景技術】
【０００２】
従来、この種の幅木固定装置として、例えば、図２に示すように、床面２０上に断面溝形状の床ベース２１を固定し、その床ベース２１の溝内に壁パネル２２の最下端部を嵌め込み、壁パネル２２の一側面下部と床面２０とが出会う箇所の入隅に金属製の幅木２３を張って固定するに際し、壁パネル２２の一側面の所定高さ位置に、複数個の垂直状幅木取付板２４を床ベース２１の長さ方向に並ぶようにねじ２５により取り付け、該幅木取付板２４の上端縁にフック受け部２６を設け、このフック受け部２６に幅木２３の上端縁に設けた下向きフック部２７を掛け止めるようにしたものがある（例えば、特許文献１参照。）。
【０００３】
【特許文献１】特開平８−１３５１６４号公報
【発明の開示】
【発明が解決しようとする課題】
【０００４】
しかしながら、上記幅木固定装置では、幅木２３が壁パネル２２にねじ２５で止め付けた幅木取付板２４に取り付けられるようにしてあるため、その幅木取付板２４を壁パネル２２の一定高さ位置にねじ２５で取り付けなければならないという煩わしい手間がかかり、現場施工性が悪く、また特別な幅木取付板２４及びこの止めねじ２５を必要とするためコスト高になるという問題があった。
【０００５】
本発明は、このような問題を解決するためになされたものであり、その目的とするところは、従来のような幅木取付板を用いることなく、床ベースを利用することで幅木を壁パネルに対し固定することができて幅木の固定作業の迅速簡略化、低コスト化を図れる幅木固定装置を提供することにある。
【課題を解決するための手段】
【０００６】
上記目的を達成するために、本発明は、ウェブと、このウェブの内外側端からそれぞれ立ち上げたフランジとを有する断面溝形状の床ベースが床面上に固定されており、前記床ベースの溝内に壁パネルの最下端部が嵌め込まれ、前記壁パネルの少なくとも一側面下部と床面とが交わる入隅に金属製の幅木が配置されている幅木固定装置において、前記幅木の上端縁に下向き係止片を設け、この下向き係止片を前記壁パネルの一側面下部とこの一側面下部に隣接する前記フランジとの間の隙間に圧入固定していることに特徴を有するものである。
【発明の効果】
【０００７】
上記構成の幅木固定装置によれば、幅木の上端縁に下向き係止片を設け、この下向き係止片を壁パネルの一側面下部とこれに隣接する床ベースのフランジ間の隙間に圧入固定するので、従来のように幅木取付板を用意しこれを壁パネルにねじ止めしたりする手間なく幅木を簡単かつ迅速に固定することができ、また床ベースを利用して幅木固定を可能にすることにより幅木固定専用の幅木取付板やこの止めねじが一切不要になり、それだけ低コストで施工できる。
【０００８】
また、壁パネルの一側面下部とフランジ間に圧入された下向き係止片７ｂは壁パネルの一側面下部とフランジとの接触面間で生じる摩擦係合力により不用意に上方へ抜け出ることがないため幅木の固定状態が確実に保持される。
【発明を実施するための最良の形態】
【０００９】
本発明の好適な実施形態を図面に基づき説明する。図１は本発明の一実施例を示す幅木固定装置の断面図である。
【００１０】
図１において、幅木固定装置は、冷凍冷蔵倉庫等における床面１上に鋼製等の断面溝形状の床ベース２をアンカーボルト３で固定し、その床ベース２の溝２ａ内に壁パネル４の最下端部を嵌め込んでいる。壁パネル４の一側面下部と床面１とが直角に出会う所の一側入隅５、および壁パネル４の他側面下部と床面１とが直角に出会う所の他側入隅６にそれぞれ金属製の幅木７が配置されている。
【００１１】
壁パネル４は金属製の一側面板８と他側面板９との間にウレタンフォームなどの断熱材１０をサンドイッチしてなる断熱パネルである。
【００１２】
鋼製等の床ベース２は、ウェブ１１と、このウェブ１１の両側端からそれぞれ立ち上げたフランジ１２，１３を有する断面溝形状に形成されている。ウェブ１１の内法幅は壁パネル４の厚さよりも少し広幅に設定するとともに、各フランジ１２，１３はウェブ１１との連接部を支点にして内外方向に弾性変形可能に形成している。各フランジ１２，１３の上端縁１２ａ，１３ａは外側に折り返している。
【００１３】
幅木７はアルミニウム押出成形等により断面アール形状の本体部７ａと、この本体部７ａの上端縁から下向きに垂直に連設された下向き係止片７ｂ、および本体部７ａの下端縁から内方へ水平に連設された接地片７ｃとを有する形に形成されている。本体部７ａの断面形状はアール形状以外の形状に形成することもあり、また接地片７ｃは必ずしも必要とするものではなく、本体部７ａの下端縁を直接床面１に接するように形成することもできる。幅木７は金属板をプレス加工で所定断面形状に曲げ加工することによっても得ることができる。
【００１４】
かくして、壁パネル４の一側面下部と床面１とが直角に出会う所の一側入隅５において、幅木７はこれの下向き係止片７ｂが壁パネル４の一側面下部と床ベース２の一側のフランジ１２との間に形成される隙間にこれの上方から圧入されてそれら壁パネル４の一側面下部とフランジ１２間に挟持されることにより固定されるとともに、接地片７ｃが床面１に接地される。また、壁パネル４の他側面下部と床面１とが直角に出会う所の他側入隅６においても同様に、幅木７はこれの下向き係止片７ｂを壁パネル４の他側面下部と床ベース２の他側のフランジ１３との間に形成される隙間にこれの上方から圧入することにより固定されるとともに、接地片７ｃが床面１に接地される。
【００１５】
上記実施例では、壁パネル４の一側面下部と床面１とが出会う所の一側入隅５、および壁パネル４の他側面下部と床面１とが出会う所の他側入隅６にそれぞれ金属製の幅木７が配置される場合について説明したが、一側入隅５又は他側入隅６のいずれか一方のみに幅木７を配置する場合にも同様に適用できることはいうまでもない。
【００１６】
上記のように幅木７は下向き係止片７ｂを壁パネル４の一側面又は他側面の下部とこれに隣接する床ベース２の一側のフランジ１２又は他側のフランジ１３との間の隙間に圧入することにより固定されるので、図２に示す従来例のもののように特別な幅木取付板やねじを用いることなく、簡単かつ速やかに固定することができるに至った。
【図面の簡単な説明】
【００１７】
【図１】本発明の一実施例を示す幅木固定装置の断面図である。
【図２】従来例の幅木固定装置の断面図である。
【符号の説明】
【００１８】
１  床面
２  床ベース
４  壁パネル
７  幅木
７ａ  下向き係止片
１１  ウェブ
１２，１３  フランジ
【図１】
2005264492.tif 000003
【図２】
2005264492.tif 000004